(57)【要約】【課題】窓と取り付ける開口部の横幅が、窓枠取り付け壁パネルの横幅と同じ大きな全開口でも、窓枠の取り付けが容易となる窓枠の固定構造を実現する。【解決手段】窓枠取り付け壁パネルは、その左右両端部まで全開口された開口部を有し、該左右両端部は、コーナ用連結材３０を介して左側方の壁パネル２と右側方の壁パネルに接続されるとともに、コーナ用連結材３０において、開口部に対応する位置の略全長に窓枠固定用金具４５が取り付けられており、コーナ用連結材３０はＣ字状部３４とハ字状に形成された一対のフランジ片３５を備え、窓枠固定用金具４５は断面が略Ｌ宇状に形成され、コーナ用連結材３０のＣ字状部３４の折返し部３７とフランジ片３５に内側から当接し、折返し部３７にネジ４６で固定される。【選択図】図７
2020153162.tif 000002
【特許請求の範囲】
【請求項１】
システムバスの壁パネルの開口部に設けられる窓枠の固定構造において、開口部は一面を構成する壁パネルの左右両端部まで開口されており、壁パネルの両端部はそれぞれコーナ用連結材を介して他面を構成する壁パネルに接続されて、コーナ用連結材の開口部に対応する位置の略全長に窓枠固定用金具が取り付けられていることを特徴とする窓枠の固定構造。                                                
【請求項２】
請求項１に記載の窓枠の固定構造において、コーナ用連結材は略Ｃ字状に形成されるＣ字状部とＣ字状部の開口両端から外方に向けてハ字状に形成される一対のフランジ片を備え、窓枠固定用金具は略Ｌ宇状に形成されてなり、窓枠固定用金具の略Ｌ字状の一片はフランジ片に当接し、もう一片はコーナ用連結材の内側に挿入されて固定されることを特徴とする窓枠の固定構造。        
【請求項３】
請求項１または２に記載の窓枠の固定構造において、壁パネル間ならびに壁パネルと窓枠固定用金具の間の止水を行なうコーナ止水材を備え、壁パネルの略全長にコーナ止水材が設けられていることを特徴とする窓枠の固定構造。
【請求項４】
請求項１〜３のいずれかに記載の窓枠の固定構造において、壁パネルは金属板からなる壁パネル本体と壁パネル本体を補強する補強材を備えており、窓枠固定用金具は壁パネル本体と同厚の金属板で形成されることを特徴とする窓枠の固定構造。
【発明の詳細な説明】
【技術分野】
【０００１】
本発明は、システムバスの壁パネルの開口部に設けられる窓枠の固定構造に関するものである。
【背景技術】
【０００２】
従来、システムバスにおいて、壁パネルに窓を取り付ける場合に、システムバスの組み立て前に、図９（ａ）に示すように、取り付ける窓に合わせて、壁パネル６０を切断し開口部６１を形成する。この開口部６１に窓枠を取り付けて、窓を設ける。
【０００３】
この場合、窓の横幅が、壁パネル６０の横幅に略近い程度に大きな場合、図９（ｂ）に示すように、壁パネル６０の左右両端部近くまで切断して開口部６２を形成し、開口部６２に窓枠を取り付ける必要が生じる。
【０００４】
また、他の従来例としては、窓の横幅が、壁パネル６０の横幅に略近い程度に大きな場合、窓枠を取り付けるための開口部は、図９（ａ）、（ｂ）に示すように、壁パネル６０の一部を矩形に切断して形成するのではなく、壁パネル６０の横方向に全開口する構成もある。
【０００５】
即ち、壁パネル６０の上下方向の一部７０を、取り付ける窓の高さ寸法に合わせて、図９（ｃ）に示すように水平方向に壁パネル６２の左右両端部まで切り取って切除し、上側の壁パネル６５と下側壁パネル６６に分離し、これらの分離した上下側の壁パネル６５、６６を、コーナ連結材によって、他の面を形成する壁パネル（例えば、図９（ａ）に示すような左側方の壁パネル６８および右側方の壁パネル６９）と連結し、全開口を有する壁パネルとし、窓枠を取り付ける構成も知られている。
【０００６】
ところで、ユニットバスの窓枠取付け用壁部の窓枠取付け用開口部に、窓枠を嵌め込んで取付ける構造として、窓枠の前端部のフランジ部を窓枠取付け用開口部の周囲の窓枠取付け用壁部の前面部に当接して固着具により取付ける構成は知られている（特許文献１参照）。
【先行技術文献】
【特許文献】
【０００７】
【特許文献１】特開２００９−２０３６３２号公報
【発明の概要】
【発明が解決しようとする課題】
【０００８】
窓の横幅が、壁パネル６０の横幅に略近い程度に大きな場合、図９（ｂ）に示すように、壁パネル６０の左右両端部近くまで切断して開口部６２を形成すると、壁パネル６０の左右それぞれの端部における残り代６３は小さくなる。
【０００９】
壁パネル６０は、その裏面に補強材（例えば、石膏ボード）が設けられているが、通常、残り代６３が３０ｍｍ程度となると、補強材として裏面に貼り付けられている石膏ボードないために、強度が非常に弱くなり、運搬ないし組み立てをすることが困難となる。
【００１０】
これに対して、図９（ｃ）に示すように、壁パネル６０の上下方向の一部である７０（切除部分）を、左右両端部まで水平方向に切断して切除し、上側の壁パネル６５と下側壁パネル６６に分離して全開口の開口部を形成した壁パネルの場合、図９（ｂ）に示す構成のような問題は生じない。
【００１１】
しかしながら、上側の壁パネル６５と下側壁パネル６６を、図１（ａ）に示すような左側方の壁パネル６８および右側方の壁パネル６９に組み付けて、システムバスの壁パネルを組み立てる工程において、例えば、コーナ止水材を打ち込む（装着する）まで、上側の壁パネルを保持する必要があり、組み立てが必ずしも容易ではないという問題がある。
【００１２】
本発明は、上記従来の問題を解決することを目的とし、窓の横幅が、壁パネルの横幅に略近い程度に大きな全開口の壁パネル場合でも、その組立ないし窓枠の取り付けが容易となる窓枠の固定構造を実現することを課題とする。
【課題を解決するための手段】
【００１３】
本発明は上記課題を解決するために、システムバスの壁パネルの開口部に設けられる窓枠の固定構造において、開口部は一面を構成する壁パネルの左右両端部まで開口されており、壁パネルの両端部はそれぞれコーナ用連結材を介して他面を構成する壁パネルに接続されて、コーナ用連結材の開口部に対応する位置の略全長に窓枠固定用金具が取り付けられていることを特徴とする窓枠の固定構造を提供する。  
【００１４】
コーナ用連結材は略Ｃ字状に形成されるＣ字状部とＣ字状部の開口両端から外方に向けてハ字状に形成される一対のフランジ片を備え、窓枠固定用金具は略Ｌ宇状に形成されてなり、窓枠固定用金具の略Ｌ字状の一片はフランジ片に当接し、もう一片はコーナ用連結材の内側に挿入されて固定されることが好ましい。        
【００１５】
壁パネル間ならびに壁パネルと窓枠固定用金具の間の止水を行なうコーナ止水材を備え、壁パネルの略全長にコーナ止水材が設けられていることが好ましい。
【００１６】
壁パネルは金属板からなる壁パネル本体と壁パネル本体を補強する補強材を備えており、窓枠固定用金具は壁パネル本体と同厚の金属板で形成されることが好ましい。
【発明の効果】
【００１７】
システムバスの壁パネルの開口部に設けられる窓枠の固定構造において、開口部は一面を構成する壁パネルの左右両端部まで開口されており、壁パネルの両端部はそれぞれコーナ用連結材を介して他面を構成する壁パネルに接続されて、コーナ用連結材の開口部に対応する位置の略全長に窓枠固定用金具が取り付けられていることで、窓枠固定用金具上に上側の壁パネルを仮置きすることができ、全開口の壁パネルの組立が簡便な窓枠の固定構造を実現できる。
【図面の簡単な説明】
【００１８】
【図１】本発明に係る窓枠の固定構造の実施例における窓取り付け壁パネルを説明する図であり、（ａ）は窓枠取り付け壁パネルと、その左右側方に接続される左側方の壁パネルと右側方の壁パネルを示す斜視図であり、（ｂ）は窓取り付け壁パネルを形成する作業を説明する図である。
【図２】上記実施例において、窓枠取り付け壁パネルを構成する上下における左右の壁パネルを互いに接続する連結材を説明する図であり、（ａ）、（ｂ）は接続構造を上方から見た図であり、（ｃ）、（ｄ）は連結材を背面側から見た図であり、（ｅ）、（ｆ）はキャップの正面図および断面図を示す。
【図３】上記実施例において、（ａ）はコーナ用連結材の長手方向に垂直な断面図であり、（ｂ）はコーナ止水材の長手方向に垂直な断面図であり、（ｃ）は窓枠固定金具を説明する斜視図である。
【図４】上記実施例において、窓枠取り付け壁パネルと左側方の壁パネルの接続を説明する図であり、（ａ）は接続の工程を説明する平面図であり、（ｂ）は接続構造を説明する平面図である。
【図５】上記実施例において、コーナ用連結材に窓枠固定金具を取り付ける構成を説明する図であり、（ａ）は取り付け工程を説明する平面図であり、（ｂ）はコーナ用連結材に窓枠固定金具を取り付けた状態を説明する図である。
【図６】上記実施例において、窓枠の固定構造の組立工程を説明する図であり、（ａ）は枠取り付け壁パネルに左側方の壁パネルを接続した状態を示す斜視図であり、（ｂ）は窓枠の固定構造の組立が完了した状態を示す斜視図である。
【図７】上記実施例において、窓枠の固定構造の組立工程を説明する図であり、窓枠固定金具の上に、上側の左右の壁パネルが載置される構成を説明する図であり、上側の左右の壁パネルは二点鎖線（想像線）で示す。
【図８】上記実施例において、（ａ）はコーナ用連結材によって上側の左右の壁パネルと左側方の壁パネルに接続した状態を示す平面図であり、（ｂ）は窓枠固定金具に窓枠を取り付けた状態を示す平面図である。
【図９】従来技術を説明する図であり、（ａ）、（ｂ）は窓枠取り付け壁パネルの一部に窓取り付け用の開口を形成した状態を示す斜視図であり、（ｃ）は窓枠取り付け壁パネルの上下方向の一部に両側まで全開口した開口部を形成した状態を示す斜視図である。
【発明を実施するための形態】
【００１９】
本発明に係る窓枠の固定構造を実施するための形態を実施例に基づき図面を参照して、以下説明する。
【実施例】
【００２０】
本発明に係る窓枠の固定構造の実施例を図１〜８を参照して説明する。本明細書では、左右は、浴室内側から見て左右を言う。本実施例の窓枠の固定構造が適用されるシステムバスの浴室は、図１（ａ）に示すように、窓枠取り付け壁パネル１、左側方の壁パネル２および右側方の壁パネル３を備えている。
【００２１】
ここで、窓枠取り付け壁パネル１は、窓枠を固定して取り付ける壁パネルである。左側方の壁パネル２は、窓枠取り付け壁パネル１の左側端部において、窓枠取り付け壁パネル１に対して平面視で直角に配置され接続された壁パネルである。右側方の壁パネル３は、窓枠取り付け壁パネル１の右側端部において、窓枠取り付け壁パネル１に対して平面視で直角に配置され接続された壁パネルである。
【００２２】
窓枠取り付け壁パネル１は、システムバスの施工現場において、図１（ｂ）に示すように、左右２枚の壁パネル６が、それぞれ取り付けるべき窓の寸法を考慮して、上下それぞれの位置において、左右両端部まで水平に切断され、上下幅ｂで示される切除部分７（図１（ｂ）中の斜線部分）が切除され、図１（ａ）に示すような、左右の両端部まで開口された状態（全開口の状態）の開口部８が形成される。
【００２３】
従って、窓枠取り付け壁パネル１は、上側の左右の壁パネル１１（図１（ａ）、（ｂ）中、上下幅ａで示される部分）と下側の左右の壁パネル１２（図１（ａ）、（ｂ）中、上下幅ｃで示される部分）の壁パネルの合計４枚から構成されるもので、左右の両端部まで全開口された開口部８を備えた構成である。
【００２４】
図６（ａ）、（ｂ）に示すように、上側の左右の壁パネル１１は、互いに対向する側端部において、上側の左右の壁パネル１１の上下寸法ａと同じ長さの上側端部連結材１５で接続されている。同様に、下側の左右の壁パネル１２は、その対向する側端部において、下側の左右の壁パネル１２の上下寸法ｃと同じ長さの下側端部連結材１６で接続されている。
【００２５】
このような上側の左右の壁パネル１１および下側の左右の壁パネル１２をそれぞれ接続する上側端部連結材１５および下側端部連結材１６は、窓枠取り付け壁パネル１の上下寸法と同じ長さの公知の端部連結材を、それぞれ長手方向の長さが、寸法ａと寸法ｃになるように切断して得られる。
【００２６】
なお、上側の左右の壁パネル１１および下側の左右の壁パネル１２の互いに対向する端部の断面図を、図２（ａ）、（ｂ）に示すが、符号４で示す部分は、壁パネルの裏面に接合された補強材（例えば、石膏ボード等）である。
【００２７】
端部連結材としては、例えば、本出願人の出願（特開２０１９−２７２６８参照）に記載されている端部連結材と略同じ構成の端部連結材１７（図２参照）を、上側端部連結材１５および下側端部連結材１６として使用して、上側の左右の壁パネル１１および下側の左右の壁パネル１２を、それぞれ接続すればよい。
【００２８】
図２に示す端部連結材１７（上側端部連結材１５、下側端部連結材１６）は、図２（ａ）〜（ｄ）に示すように、突起部２０を備えた突起付き連結材２１と、突起部２０が嵌合する溝部２２を備えた溝部付き連結材２３と、から成り、溝部２２は少なくとも一部が、図２（ｃ）、（ｄ）に示すように、傾斜して設けられている。
【００２９】
構部２２に突起部２０が嵌合しており、突起部２０が図２（ｃ）の状態から図２（ｄ）の状態に溝部２２内で移動することで、図２（ａ）の状態から図２（ｂ）に示すように突起付き連結材２１と溝部付き連結材２３が互いに近接して、端部止水材２４を介して、上側の左右の壁パネル１１および下側の左右の壁パネル１２をそれぞれが接続される。
【００３０】
なお、接続後、例えば、図２（ｅ）、（ｆ）に示すように、内面に凸部２６の形成された樹脂製のキャップ２７を、端部連結材１７の上端に嵌め込むと、端部連結材１７内への水滴、塵等の侵入を防止できる。
【００３１】
上側の左右の壁パネル１１と下側の左右の壁パネル１２の左右両端部は、それぞれコーナ用連結材３０とコーナ止水材３１を介して他面を構成する壁パネルに接続される（図６（ｂ）参照）。本実施例では、他面を構成する壁パネルは、前記した図１（ａ）に示すような、左側方の壁パネル２および右側方の壁パネル３である。
【００３２】
コーナ用連結材３０は、窓枠取り付け壁パネル１（開口部８も含む）の上下方向の寸法と略同じ長さを有する長尺状の部材である。コーナ用連結材３０は、その長手方向に垂直の断面が、図３（ａ）に示すように、略Ｃ字状に形成されたＣ字状部３４と、Ｃ字状部３４の開口の両端から外方に向けてハ字状に形成された一対のフランジ片３５と、を備えている。Ｃ字状部３４は、〔字状部３６とその両端の折り返し部３７から成る。
【００３３】
コーナ止水材３１は、コーナ用連結材３０と同じ長さ、即ち、窓枠取り付け壁パネル１（開口部８も含む）の上下方向の寸法と略同じ長さを有する長尺状の部材であり（図６（ｂ）参照）、その長手方向に垂直の断面は、本実施例では、図３（ｂ）に示すような形状（略むささび形）である。
【００３４】
左側方の壁パネル２と窓枠取り付け壁パネル１（上側および下側の左右の壁パネル１２、１２から成る壁パネル）が、平面視で直交して接続され、図４（ｂ）、図７等に示すような、コーナ部３８が形成されている。
【００３５】
このようなコーナ部３８を形成する連結構造では、図４（ａ）、に示すように、左側方の壁パネル２の折り返し端部４０および窓枠取り付け壁パネル１の折り返し端部４１が、それぞれコーナ用連結材３０のＣ字状部３４内に配置され、コーナ用連結材３０の一対のフランジ片３５が、それぞれ左側方の壁パネル２および窓枠取り付け壁パネル１の外面に当接されている。      
【００３６】
そして、コーナ止水材３１が、図４（ｂ）に示すように、左側方の壁パネル２の折り返し端部４０と窓枠取り付け壁パネル１の折り返し端部４１の間からコーナ用連結材３０のＣ字状部３４内に挿入されることで、両折り返し端部４０、４１をそれぞれＣ字状部３４内に係合させて接続する接続構造を構成している。
【００３７】
この接続構造は、図示はしないが、右側方の壁パネル３と窓枠取り付け壁パネル１（上側および下側の左右の壁パネル１１、１２から成る壁パネル）が、平面視で直交して接続されている接続構造についても同じである。
【００３８】
コーナ用連結材３０における上側の左右の壁パネル１１および下側の左右のパネル１２の間は、開口部８となっているので、当然のことであるが、左右側方の壁パネル２、３と窓枠取り付け壁パネル１が、コーナ部３８を形成する上記接続構造は、形成されていない。
【００３９】
換言すると、コーナ用連結材３０において、例えば、左側方の壁パネル２に装着されていない側の折り返し部３７とフランジ片３４は、窓枠取り付け壁パネル１の開口部８に面している。
【００４０】
ところで、本発明に係る窓枠の固定構造では、コーナ用連結材３０において、窓枠取り付け壁パネル１の開口部８に対応した位置の略全長に、図６（ｂ）に示すように、窓枠を取り付けるための窓枠固定用金具４５が取り付けられている。
【００４１】
窓枠固定用金具４５は、その外形および長手方向に垂直な断面を図３（ｃ）および図５（ａ）に示すが、長手方向の長さは、窓枠取り付け壁パネル１の開口部８の上下幅ｂ（図１（ａ）、図６（ｂ）参照）と略同じである。
【００４２】
そして、窓枠固定用金具４５は、その長手方向に垂直な断面は、略Ｌ字状（図３（ｃ）、図５（ａ）参照）に形成されてなる。例えば、通常、一般的によく使用されている長さが１０００ｍｍ程度で断面がＬ字状の型材を、施工現場で予め切断し、長さｂの窓枠固定用金具４５を形成すればよい。
【００４３】
壁パネル１は金属板からなる壁パネル本体と壁パネル本体を補強する補強材４を備えており、窓枠固定用金具４５は、壁パネル本体と同厚ｄの金属板で形成されている（図５（ａ）、（ｂ）、図７参照）。この点は、本発明に係る窓枠の固定構造の特徴的構成の一つであり、その意義等については、作用の項で説明する。
【００４４】
窓枠固定用金具４５において、断面略Ｌ字状の一辺側を、後記するが、コーナ用連結材３０にネジ４６で固定されるので固定部４７と言い、他辺側を、後記するが、上側の左右の壁パネル１１を上から当接させて載置し仮置きできるので、載置部４８と言う（図３（ｃ）および図５（ａ）参照）。
【００４５】
本発明に係る窓枠の固定構造では、窓枠固定用金具４５は、開口部８に対応する位置の上下全長にわたって、図５（ｂ）、図７に示すように、Ｃ字状部３４の折り返し部３７とフランジ片３５に、内側から当接され、固定部４７をネジ４６でＣ字状部３４の折り返し部３７に固定されて取り付けられている構成を採用した。
【００４６】
この構成は、本発明に係る窓枠の固定構造の特徴的構成の他の一つであり、その意義等については、次の作用の項で説明する。なお、窓５１は、図８に示すように、その窓枠５２の左右両端が、それぞれ窓枠取り付け壁パネル１の開口部８の左右端に固定された窓枠固定用金具４５に固定され、窓枠取り付け壁パネル１の開口部８に取り付けられる。なお、図８中、５３は構造柱であり、５４は外壁を示す。
【００４７】
（作用）                                   
本発明に係る窓枠の固定構造、およびその構成要素であるコーナ用連結材３０および窓枠固定用金具４５等の部材は、それぞれ以上の構成であるが、窓枠取り付け壁パネル１に、コーナ用連結材３０を介して窓枠固定用金具４５を取り付ける窓枠の固定構造の組立の工程、方法等について、以下説明する。
【００４８】
まず、システムバスの壁を組立てて、窓枠取り付け壁パネル１に窓５１と取り付けるための窓枠の固定構造の組立に必要な部材の用意をする。システムバスの施工現場において、図１（ｂ）に示すように、左右２枚の壁パネル６を、上下それぞれにおいて左右両端部まで水平に切断する。
【００４９】
これによって、図１（ｂ）中、斜線部で示される上下幅ｂの切除部分７を切除し、上側の左右の壁パネル１１と下側の左右の壁パネル１２からなり、左右の両端部まで全開口し、上下幅ｂの開口部８を備えた窓枠取り付け壁パネル１を形成する。
【００５０】
窓枠取り付け壁パネル１の上下方向の寸法と同じ長さの端部連結材を用意し、それを、上側の左右の壁パネル１１および下側の左右の壁パネル１２の上下方向の寸法ａおよびｃに合わせて切断し、上側の左右の壁パネル１１および下側の左右の壁パネル１２をそれぞれ接続するための、端部連結材１７、即ち上側端部連結材１５と下側端部連結材１６を得る。
【００５１】
さらに、長さが１０００ｍｍ程度で断面がＬ字状の型材を切断して、窓枠取り付け壁パネル１の開口部８の上下幅ｂと略同じ長さの窓枠固定用金具４５を得て、ネジ孔４９をあけておく。窓枠固定用金具４５は、窓枠取付け壁の開口部８の左右端に対応して、２つ用意する。
【００５２】
以上は、システムバスの壁を組立てて、窓枠取り付け壁パネル１に窓５１を取り付けるための窓枠の固定構造の組立に必要な部材を用意するための工程であったが、このようにして用意した部材を使用して、窓枠の固定構造の組み立て作業を、以下説明する。
【００５３】
窓枠の固定構造の組み立てに際しては、まず、下側の左右の壁パネル１２を、互いに下側端部連結材１６で接続し（図２参照）、下側端部連結材１６の上端を、樹脂製のキャップ２７でカバーする。同様に、上側の左右の壁パネル１１を、互いに上側端部連結材１５で接続し（図２参照）、上側端部連結材１５の上端を、樹脂製のキャップ２７でカバーする。
【００５４】
そして、図４（ａ）に示すように、左側方の壁パネル２と下側の左右の壁パネル１２の左側の端部とを接続してコーナ部３８を形成する。そのために、左側方の壁パネル２の折返し端部４０と下側の左右の壁パネル１２の折返し端部４１を、コーナ用連結材３０のＣ字状部３４内に挿入する。この状態では、下側の左右の壁パネル１２をフランジ片３５に内側から当接した状態とする。
【００５５】
さらに、図４（ｂ）に示すように、コーナ止水材３１を、下側の左右の壁パネル１２の上端の高さまで、左側方の壁パネル２の折り返し端部４０と下側の左右の壁パネル１２の折り返し端部４１の間から、コーナ連結材３０のＣ字状部３４内に挿入し、左側方の壁パネル２と下側の左右の壁パネル１２を平面視で直角に接続する。  
【００５６】
同様の工程で、下側の左右の壁パネル１２と右側方の壁パネル３を、コーナ用連結材３０およびコーナ止水材３１によって接続する。これによって、左側方壁パネル２および右側方の壁パネル３のそれぞれと、下側の左右の壁パネル１２との、接続が完了する（図６（ａ）参照）。
【００５７】
なお、先に左右側方の壁パネル２、３のそれぞれに下側の左右の壁パネル１２を接続した後、下側の左右の壁パネル１２を互いに下側の連結材１４で接続する工程順でもよい。
【００５８】
次に、窓枠固定用金具４５を、コーナ用連結材３０における窓枠取り付け壁パネル１の開口部８に対応する位置の略全長にわたって取り付ける。そのために、まず、図５（ａ）に示すように、コーナ用連結材３０におけるＣ字状部３４の折り返し部３７に、ネジ挿通孔５６をあける。
【００５９】
窓枠固定用金具４５の固定部４７と載置部４８を、それぞれコーナ用連結材３０における、Ｃ字状部３４の折り返し部３７とフランジ片３５に、内側から当接し、図５（ｂ）に示すように、固定部４７をネジ４６でＣ字状部３４の折り返し部３７に固定する。
【００６０】
ここで、「Ｃ字状部３４の折り返し部３７とフランジ片３５に、内側から当接」とは、窓枠固定用金具４５の固定部４７は、コーナ用連結材３０のＣ字状部３４内から折り返し部３７に向けて当接し、窓枠固定用金具４５の載置部４８は、浴室内側から窓方向に向けてフランジ片３５に当接する構成を意味している。この構成の意義は追って説明するが、前記したとおり本発明におけるきわめて特徴的な構成である。
【００６１】
次に、図７に示すように、左側方の壁パネル２と上側の左右の壁パネル１１の左側の端部を接続してコーナ部３８を形成する。これは、前記した左側方の壁パネル２と下側の左右の壁パネル１２の左側の端部を接続する工程と同様に行う。
【００６２】
即ち、左側方の壁パネル２と上側の左右の壁パネル１１のそれぞれの折返し端部４０、４１を、コーナ用連結材３０のＣ字状部３４内に装入し、かつ上側の左右の壁パネル１１をフランジ片３５に内側から当接して、コーナ用連結材３０を上側の左右の壁パネル１１と左側方の壁パネル２に装着する。
【００６３】
そして、前記したとおり、下側の左右の壁パネル１２の高さまで挿入済みのコーナ止水材３１を、開口部８に対応する位置およびさらに上側の左右の壁パネル１１の上端の位置まで、左側方の壁パネル２の折り返し端部４０と上側の左右の壁パネル１１の折り返し端部４１の間から、コーナ連結材３０のＣ字状部３４内に挿入する。これにより、図７に示すように、左側方の壁パネル２と上側の左右の壁パネル１１（図７中、二点鎖線で示す部分）とを平面視で直角に接続する。
【００６４】
このように、左側方の壁パネル２と上側の左右の壁パネル１１を接続する工程では、図７に示すように、上側の左右の壁パネル１１（二点鎖線で示す部分）は、窓枠固定用金具４５の固定部４７および載置部４８の上に当接して載置し仮置きすることができ、窓枠固定用金具４５によって下方から支えることができる。
【００６５】
以上の工程を通して、窓枠取付け壁パネル１に窓枠固定用金具４５を固定する窓枠の固定構造が組立られる。窓枠５２は、例えば図８に示すように、窓枠固定用金具４５に固定され、開口部８に取り付けられる。
【００６６】
このような窓枠の固定構造とすると、図５（ａ）、（ｂ）、図７に示すように、窓枠固定用金具４５と窓枠取り付け壁パネル１（上側の左右の壁パネル１１および下側の左右の壁パネル１２）は、同厚であり、しかも共にコーナ用連結材３０のフランジ片３５に内側から当接しているので、窓枠固定用金具４５と、上側の左右の壁パネル１１および下側の左右の壁パネル１２とは、浴室の内外方向にずれることなく整合して当接する。
【００６７】
そのために、窓枠固定用金具４５の内面と、上側の左右の壁パネル１１および下側の左右の壁パネル１２の内面は、面一となり、継ぎ目においても滑らかで目立たないので見栄えが良い。さらに、次のような理由で、壁パネルの組立および窓枠の取り付けの作業が簡便になる。
【００６８】
即ち、上側の左右の壁パネル１１は、窓枠固定用金具４５の上に配置されるが、上側の左右の壁パネル１１は、窓枠固定用金具４５のＣ字状部３４における折返し部３７および載置部４８上に載置されて仮置きし保持することができる。
【００６９】
そのために、窓枠の固定構造の組立の工程において、例えば、左側方の壁パネル２の折り返し端部４０と上側の左右の壁パネル１１の折り返し端部４１をコーナ用連結材３０に装着してから、コーナ止水材３１を取り付ける作業等において、従来例のように上側の左右の壁パネル１１を下方から支えて保持する必要がなく、作業がし易くなる。
【００７０】
なお、窓枠固定用金具４５自体も、ネジ４６でコーナ用連結材３０に固定され、かつ下側の左右の壁パネル１２に載置され下方から支持されているので、上側の左右の壁パネル１１を下方から安定して支持できる。
【００７１】
以上、本発明に係る窓枠の固定構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７２】
本発明に係る窓枠の固定構造は上記のような構成であるから、システムバス等浴室の壁だけでなく、各種の建築物の壁に窓を取り付ける構造についても適用可能である。
【符号の説明】
【００７３】
１  窓枠取り付け壁パネル                                 
２  左側方の壁パネル                                     
３  右側方の壁パネル                                     
４  壁パネルの補強材                                       
６  左右２枚の壁パネル                                   
７  窓枠取り付け壁パネルの切除部分                         
８  開口部                                               
１１  上側の左右の壁パネル                            
１２  下側の左右の壁パネル                             
１５  上側端部連結材                                 
１６  下側端部連結材                                
１７  端部連結材                                     
２０  突起付き連結材の突起部                       
２１  突起付き連結材                                 
２２  溝部付き連結材の溝部                          
２３  溝部付き連結材
２４  端部止水材                                 
２６  キャップ内の凸部                                   
２７  端部連結材用のキャップ                             
３０  コーナ用連結材                                 
３１  コーナ止水材                                   
３４  コーナ用連結材のＣ字状部                       
３５  コーナ用連結材のフランジ片                     
３６  Ｃ字状部の〔字状部                             
３７  Ｃ字状部の折り返し部                               
３８  コーナ部                                           
４０  左側方の壁パネルの折り返し端部                 
４１  窓枠取り付け壁パネルの折り返し端部             
４５  窓枠固定用金具                                   
４６  ネジ                                               
４７  窓枠固定用金具の固定部 
４８  窓枠固定用金具の載置部                            
４９  窓枠固定用金具のネジ孔                             
５１  窓                                            
５２  窓枠
５３  構造柱
５４  外壁                                               
５６  Ｃ字状部のネジ挿通孔 
６０  窓を取り付ける壁パネル
６１  壁パネルの開口部
６２  横幅の大きな壁パネルの開口部
６３  残り代
６５  上側の壁パネル
６６  下側壁パネル
６８  左側方の壁パネル
６９  右側方の壁パネル
７０  壁パネルの切除する上下方向の一部（切除部）
【図１】
2020153162.tif 000003
【図２】
2020153162.tif 000004
【図３】
2020153162.tif 000005
【図４】
2020153162.tif 000006
【図５】
2020153162.tif 000007
【図６】
2020153162.tif 000008
【図７】
2020153162.tif 000009
【図８】
2020153162.tif 000010
【図９】
2020153162.tif 000011